(57)【要約】【課題】背面照明にレーザー光を用いた高品位の表示装置を提供する。【解決手段】液晶表示装置ＤＳＰは、複数の半導体レーザー２０と、導光板ＬＧと、表示パネルＰＮＬと、を備えている。導光板ＬＧは、後端面３３に直交する左端面３５及び右端面３６を有している。複数の半導体レーザー２０のうちで最も左端面３５側に位置する第１半導体レーザー２１は、平面視において左端面３５の延長線上に配置されている。最も右端面３６側に位置する第２半導体レーザー２２は、平面視において右端面３６の延長線上に配置されている。【選択図】図３
2019124834.tif 000002
【特許請求の範囲】
【請求項１】
レーザー光を発する半導体レーザーからなる複数の光源と、該複数の光源から発せられた光を照射する導光板と、該導光板から照射された光を透過して画像を表示する表示パネルと、を備え、
前記導光板は、前記表示パネルに対向する出射面と、該出射面とは反対側の反射面と、該出射面及び該反射面の間を繋ぐ端面と、を有し、
前記端面は、前記複数の光源に対向する第１の入射面と、該第１の入射面に直交する第１端面及び第２端面と、を含み、
前記複数の光源は、前記第１の入射面に対向する位置で、前記第１端面から前記第２端面の間で一列に並べられ、
前記複数の光源のうちで最も第１端面側に位置する第１の光源は、前記第１端面の延長線上に配置され、前記複数の光源のうちで最も第２端面側に位置する第２の光源は、前記第２端面の延長線上に配置されていることを特徴とする表示装置。
【請求項２】
前記複数の光源は、周波数５００ｋＨｚ以下の交流電源で駆動されている、請求項１に記載の表示装置。
【請求項３】
前記第１の光源及び前記第２の光源は、該第１の光源及び該第２の光源の間に位置する他の光源よりも発光効率が低い光源で構成されている、請求項１又は２に記載の表示装置。
【請求項４】
前記複数の光源は、第１色の光を発する一対の第１色光源、第２色の光を発する第２色光源、第３色の光を発する第３色光源を含み、前記第１色光源、前記第２色光源、前記第１色光源、前記第３色光源が該順で並べられた単位光源が連鎖して構成されている、請求項１乃至３のいずれか一項に記載の表示装置。
【請求項５】
前記第１の光源及び前記第２の光源は、前記第２色光源又は前記第３色光源である、請求項４に記載の表示装置。
【請求項６】
前記第１色光源は、緑色の光を発する緑色光源であり、
前記単位光源に含まれる一対の前記緑色光源のうちの一方が発する緑色レーザー光と、他方が発する緑色レーザー光とは、異なる主波長である、請求項４又は５に記載の表示装置。
【請求項７】
前記導光板は、前記第１の入射面に対向し、且つ前記第１端面と前記第２端面との間に位置する第２の入射面を有し、
前記複数の光源は、前記第１端面及び前記第２の入射面に対向する位置において、前記第１端面から前記第２端面の間で一列に並べられている、請求項１乃至６のいずれか一項に記載の表示装置。
【請求項８】
前記第１の光源の出射光の中心位置は、前記第１端面の延長線上からずれた位置に配置され、前記第２の光源の出射光の中心位置は、前記第２端面の延長線上からずれた位置に配置されていることを特徴とする請求項１乃至７のいずれか一項に記載の表示装置。
【発明の詳細な説明】
【技術分野】
【０００１】
本発明の実施形態は、背面照明にレーザー光を用いる表示装置に関する。
【背景技術】
【０００２】
液晶表示装置等の透過型表示装置は、表示パネルの背面に光を照射する照明装置を備えている。赤色ＬＥＤ、緑色ＬＥＤ、青色ＬＥＤが導光板の入射面に沿って配列され、導光板内で光を混合して白色光を取り出す照明装置が提案されている（例えば、特許文献１参照）。
【先行技術文献】
【特許文献】
【０００３】
【特許文献１】特開２００６−２３６９５１号公報
【発明の概要】
【発明が解決しようとする課題】
【０００４】
ＬＥＤに替えて、色純度が高いレーザー光を発する半導体レーザー（Ｌａｓｅｒ  Ｄｉｏｄｅ）を光源に用いると、表示装置によって表現できる色域が広がる。しかしながら、レーザー光は、ＬＥＤから発せられる光よりもコヒーレンスが大きい。背面照明にレーザー光を用いると、スペックル（明暗の斑点模様）が視認されやすくなる。
【０００５】
とりわけ、導光板の端面へ向かうレーザー光と、端面に反射されて戻って来るレーザー光とが重なると、同一の半導体レーザーから発せられた同波長のレーザー光であるためスペックルが視認されやすい。本開示の目的は、背面照明にレーザー光を用いた高品位の表示装置を提供することにある。
【課題を解決するための手段】
【０００６】
一実施形態に係る表示装置は、複数の光源と、導光板と、表示パネルと、を備えている。各々の光源は、レーザー光を発する半導体レーザーからなる。導光板は、複数の光源から発せられた光を照射する。表示パネルは、導光板から照射された光を透過して画像を表示する。  
【０００７】
導光板は、出射面と、反射面と、端面と、を有している。出射面は、表示パネルに対向している。反射面は、出射面とは反対側に位置している。端面は、出射面及び反射面を繋いでいる。端面は、第１の入射面と、第１端面と、第２端面と、を含んでいる。第１の入射面は、複数の光源に対向している。第１端面及び第２端面は、第１の入射面に直交している。  
【０００８】
複数の光源は、第１の入射面に対向する位置で、第１端面から第２端面の間で一列に並べられている。複数の光源のうちで最も第１端面側に位置する第１の光源は、第１端面の延長線上に配置されている。複数の光源のうちで最も第２端面側に位置する第２の光源は、第２端面の延長線上に配置されている。
【図面の簡単な説明】
【０００９】
【図１】図１は、各実施形態に共通する表示装置の概略的な構成を示す斜視図である。
【図２】図２は、図１に示された表示パネル及び照明装置の断面構造を示す断面図である。
【図３】図３は、本実施形態に係る照明装置を模式的に示す平面図である。
【図４】図４は、低効率のレーザーダイオードの出力特性を模式的に示す図である。
【図５】図５は、本実施形態の変形例に係る照明装置を模式的に示す平面図である。
【図６】図６は、本実施形態と対比するための比較例に係る照明装置を模式的に示す平面図である。
【発明を実施するための形態】
【００１０】
いくつかの実施形態について、図面を参照しながら説明する。なお、開示はあくまで一例に過ぎず、当業者が発明の主旨を保って適宜変更について容易に想到し得るものは、当然に本発明の範囲に含まれる。また、図面は、説明をより明確にするため、実際の態様に比べて模式的に表される場合があるが、あくまで一例であって、本発明の解釈を限定するものではない。各図において、連続して配置される同一又は類似の要素について符号を省略することがある。また、本明細書及び各図において、既に説明した図と同一又は類似した機能を発揮する構成要素には同一の参照符号を付し、重複する詳細な説明を省略することがある。
【００１１】
また、本明細書において「αはＡ，Ｂ又はＣを含む」、「αはＡ，Ｂ及びＣのいずれかを含む」、「αはＡ，Ｂ及びＣからなる群から選択される一つを含む」といった表現は、特に明示がない限り、αがＡ〜Ｃの複数の組み合わせを含む場合を排除しない。さらに、これらの表現は、αが他の要素を含む場合も排除しない。各実施形態において、表示装置の一例として液晶表示装置ＤＳＰを開示する。ただし、各実施形態は、他種の表示装置に対する、各実施形態にて開示される個々の技術的思想の適用を妨げるものではない。
【００１２】
他種の表示装置としては、例えば、Ｍｉｃｒｏ  Ｅｌｅｃｔｒｏ  Ｍｅｃｈａｎｉｃａｌ  Ｓｙｓｔｅｍ（ＭＥＭＳ）シャッター等の機械式表示セルを有する表示装置等が想定される。液晶表示装置ＤＳＰは、例えば、スマートフォン、タブレット端末、携帯電話端末、パーソナルコンピュータ、テレビ受像装置、車載装置、ゲーム機器、ウェアラブル端末等の種々の装置に用いることができる。
【００１３】
図１は、本実施形態の液晶表示装置ＤＳＰの概略的な構成を示す斜視図である。実施形態の説明の便宜上、図１に示すように、左右方向、前後方向、上下方向を定義する。上下方向は、例えば液晶表示装置ＤＳＰの厚さ方向である。なお、液晶表示装置ＤＳＰを傾けて配置する場合、上下方向は重力方向と必ずしも一致しない。左側は第１側の一例であり、右側は第１側とは反対の第２側の一例である。なお、右側が第１側になり、左側が第２側になってもよい。
【００１４】
液晶表示装置ＤＳＰは、表示パネルＰＮＬと、表示パネルＰＮＬの背面に光を照射する照明装置（バックライト）ＢＬと、表示パネルＰＮＬや照明装置ＢＬの動作を制御する制御モジュールＣＴＲと、表示パネルＰＮＬを駆動する駆動ＩＣチップ４と、表示パネルＰＮＬや照明装置ＢＬへ制御モジュールＣＴＲの制御信号を伝達するフレキシブル回路基板ＦＰＣ１，ＦＰＣ２と、を備えている。
【００１５】
表示パネル（液晶セル）ＰＮＬは、第１基板（アレイ基板）ＳＵＢ１と、第１基板ＳＵＢ１に対向する第２基板（対向基板）ＳＵＢ２と、第１及び第２基板ＳＵＢ１，ＳＵＢ２の間に配置された液晶層ＬＣと、を備えている。液晶層ＬＣは、電気によって駆動され光を選択的に透過する電気光学層の一例である。なお、電気光学層は、前述のＭＥＭＳシャッターや電気泳動素子等であってもよい。表示パネルＰＮＬは、画像を表示する表示領域ＤＡを有している。表示パネルＰＮＬは、表示領域ＤＡにおいて、前後左右にマトリクス状に配列された複数の画素ＰＸを有している。
【００１６】
駆動ＩＣチップ４は、例えば第１基板ＳＵＢ１に実装されている。なお、駆動ＩＣチップ４は、制御モジュールＣＴＲ等に実装されてもよい。フレキシブル回路基板ＦＰＣ１は、第１基板ＳＵＢ１と制御モジュールＣＴＲとを接続している。フレキシブル回路基板ＦＰＣ２は、照明装置ＢＬと制御モジュールＣＴＲとを接続している。
【００１７】
制御モジュールＣＴＲは、液晶表示装置ＤＳＰが搭載される電子機器のメインボード等から表示領域ＤＡに表示するための１フレーム分の画像データを順次受信する。この画像データは、例えば各画素ＰＸの表示色等の情報を含む。制御モジュールＣＴＲは、受信した画像データに基づいて各画素ＰＸを駆動するための信号を駆動ＩＣチップ４に供給する。また、制御モジュールＣＴＲは、点灯又は消灯を制御する信号を照明装置ＢＬに供給する。
【００１８】
照明装置ＢＬは、表示パネルＰＮＬの背面に向けて偏光した白色光を照射する。赤色レーザー光、緑色レーザー光及び青色レーザー光が混合された白色光は、二色以上を含んだレーザー光の一例である。図１に示す例では、照明装置ＢＬが、表示パネルＰＮＬに上下に重なるように配置された導光板ＬＧと、導光板ＬＧを挟んで互いに対向する第１及び第２光源群ＬＳ１，ＬＳ２と、を備えている。なお、第１及び第２光源群ＬＳ１，ＬＳ２のいずれか一方を省略してもよい。
【００１９】
図２は、表示パネルＰＮＬ及び照明装置ＢＬの断面構造を示す断面図である。図２に示すように、導光板ＬＧは、第１基板ＳＵＢ１に対向する第１主面（出射面）３１と、第１主面３１とは反対側の第２主面（反射面）３２と、第１及び第２主面３１，３２の間の端面３０と、を有している。
【００２０】
第１及び第２光源群ＬＳ１，ＬＳ２は、導光板ＬＧの端面３０に対向している。第２主面３２は、第１及び第２光源群ＬＳ１，ＬＳ２から遠ざかるに従い厚みが増すように傾斜している。第１及び第２光源群ＬＳ１，ＬＳ２が発する偏光したレーザー光は、導光板ＬＧの端面３０に入射し、第２主面３２に反射されながら導光板ＬＧ内を伝播し、第１主面３１から出射する。
【００２１】
導光板ＬＧは、その内部を通過する偏光したレーザー光の偏光方向を維持する観点から、低複屈折性を有することが好ましい。導光板ＬＧの位相差は、入射されるレーザー光の主波長の例えば四分の一以下である。導光板ＬＧは、例えば正の複屈折物質と負の複屈折物質との混合体又は共重合体からなる固有複屈折率が絶対値で３×１０−３以下のポリマー等で形成されている。
【００２２】
混合体は、固有複屈折率が正のポリマーと負のポリマーとが適切な比率で混合されることにより、ポリマーに配向が生じたときに互いに複屈折が相殺しあい、巨視的に複屈折を発現させない。或いは、混合体は、棒状の分子形状と分極率の異方性とを有する低分子をポリマーに添加することにより、ポリマーの複屈折を相殺する。
【００２３】
共重合体は、固有複屈折率が正のモノマーと負のモノマーとを適切な比率で共重合させ、一つのポリマー鎖内で異方性を相殺する。このようなポリマーとして、例えば、特許第５２６３７７１号公報の段落［００４３］乃至段落［００５２］に記載のものを使用できる。
【００２４】
図２に示すように、表示パネルＰＮＬは、第１及び第２基板ＳＵＢ１，ＳＵＢ２を貼り合せるシール材３と、第２基板ＳＵＢ２の上面に貼着された偏光板ＰＬと、をさらに備えている。液晶層ＬＣは、シール材３の内側において第１及び第２基板ＳＵＢ１，ＳＵＢ２の間に封入されている。
【００２５】
本実施形態に係る照明装置ＢＬは偏光したレーザー光を照射する。そのため、第１基板ＳＵＢ１の下面には偏光板が配置されておらず、第２基板ＳＵＢ２の上面のみ偏光板ＰＬが配置されている。偏光板が一枚であるため、第１及び第２基板ＳＵＢ１，ＳＵＢ２の透明度を高めた場合、液晶表示装置ＤＳＰの背景が透けて見えるいわゆる透明液晶装置を得ることができる。
【００２６】
なお、照明装置ＢＬが無偏光のレーザー光を照射し、表示パネルＰＮＬが二枚の偏光板を備えるように構成してもよい。図２に示す例では、液晶表示装置ＤＳＰが、導光板ＬＧ及び第１基板ＳＵＢ１の間に配置されたプリズムシートＰＳ及び拡散シートＤＳをさらに備えている。
【００２７】
プリズムシートＰＳは、照明装置ＢＬから照射されたレーザー光の光路を上下方向に揃える。拡散シートＤＳは、プリズムシートＰＳを通過したレーザー光を左右方向に拡散させて視野角を広げる。偏光度を維持する観点から、プリズムシートＰＳ及び拡散シートＤＳには、導光板ＬＧと同様の低複屈折材料が好ましい。
【００２８】
図３は、本実施形態に係る照明装置ＢＬを模式的に示す平面図である。導光板ＬＧの端面３０は、第１光源群ＬＳ１に対向する後端面３３と、第２光源群ＬＳ２に対向する前端面３４と、左端面３５と、右端面３６と、を有している。後端面３３は、左右方向に延びている。前端面３４は、後端面３３に平行に延びている。左端面３５及び右端面３６は、いずれも後端面３３及び前端面３４に直交している。
【００２９】
後端面３３は、第１の入射面の一例であり、前端面３４は第２の入射面の一例である。左端面３５は第１端面の一例であり、右端面３６は第２端面の一例である。第１光源群ＬＳ１は、導光板ＬＧの後端面３３に沿って等間隔をあけて一列に並べられた複数の半導体レーザー２０を含んでいる。同様に、第２光源群ＬＳ２は、前端面３４に沿って等間隔をあけて一列に並べられた複数の半導体レーザー２０を含んでいる。半導体レーザー２０は、半導体レーザーからなる複数の光源の一例である。
【００３０】
第１及び第２光源群ＬＳ１，ＬＳ２は、第１色の光を発する一対の第１色光源と、第２色の光を反する第２色光源と、第３色の光を発する第３色光源と、を含んでいる。第１乃至第３光源は、例えば三原色に対応した半導体レーザー２０である。
【００３１】
第１及び第２光源群ＬＳ１，ＬＳ２は、第２色光源、第１色光源、第３色光源、第１色光源がこの順で並べられた単位光源が連鎖して構成されている。換言すると、第１及び第２光源群ＬＳ１，ＬＳ２において、一列に並べられた第１光源の間に第２光源と第３光源とが交互に配置されている。
【００３２】
図３に示す例では、第１色が緑色であり、第２色が赤色であり、第３色が青色である。第１及び第２光源群ＬＳ１，ＬＳ２は、赤色の光を発する赤色半導体レーザーＲ、緑色の光を発する第１緑色半導体レーザーＧ１、青色の光を発する青色半導体レーザーＢ及び緑色の光を発する第２緑色半導体レーザーＧ２がこの順で並べられた単位光源ＲＧＢＧが連鎖して構成されている。なお、第１色が赤色であってもよいし、第１色が青色であってもよい。
【００３３】
第１及び第２緑色半導体レーザーＧ１，Ｇ２は、交互に並べられている。赤色半導体レーザーＲは、第１緑色半導体レーザーＧ１の左隣において、第１及び第２緑色半導体レーザーＧ１，Ｇ２の間に配置されている。青色半導体レーザーＢは、第１緑色半導体レーザーＧ１の右隣において、第１及び第２緑色半導体レーザーＧ１，Ｇ２の間に配置されている。つまり、赤色半導体レーザーＲ及び青色半導体レーザーＢは、緑色の光を発する第１又は第２緑色半導体レーザーＧ１，Ｇ２を挟んで交互に並べられている。
【００３４】
第１緑色半導体レーザーＧ１が発する緑色レーザー光と、第２緑色半導体レーザーＧ２が発する緑色レーザー光とは、同じ主波長であってもよいし、異なる主波長であってもよい。異なる主波長である場合、第２緑色半導体レーザーＧ２が発する緑色レーザー光の主波長は、第１緑色半導体レーザーＧ１よりも赤色寄りであってもよいし、青色寄りであってもよい。第１及び第２緑色半導体レーザーＧ１，Ｇ２の主波長の差は、例えば数十ｎｍ程度である。
【００３５】
以下の説明において、第１及び第２光源群ＬＳ１，ＬＳ２に含まれる複数の半導体レーザー２０のうちで最も左側（右端面３６から見た左端面３５側）に位置するものを第１の光源２１或いは第１半導体レーザー２１と呼び、最も右側（左端面３５から見た右端面３６側）に位置するものを第２の光源２２或いは第２半導体レーザー２２と呼ぶ。本実施形態の液晶表示装置ＤＳＰは、第１半導体レーザー２１が導光板ＬＧの左端面３５を延長した平面Ｘに交差し、第２半導体レーザー２２が導光板ＬＧの右端面３６を延長した平面Ｙに交差していることが特徴の一つである。
【００３６】
つまり、平面視において、最も左端面３５側に位置する第１半導体レーザー２１の筐体の少なくとも一部は、左端面３５の延長線上に配置されている。最も右端面３６側に位置する第２半導体レーザー２２の筐体の少なくとも一部は、右端面３６の延長線上に配置されている。図３に示す例では、第１半導体レーザー２１の出射光の中心位置が左端面３５の延長線上に配置され、第２半導体レーザー２２の出射光の中心位置が右端面３６の延長線上に配置されている。
【００３７】
なお、第２半導体レーザー２２は、第１半導体レーザー２１と略同一の配置及び機能を有している。そのため、代表して第１半導体レーザー２１について詳しく説明し、第２半導体レーザー２２については重複する説明を省略する。図６は、本実施形態と対比するための比較例に係る照明装置ＢＬを模式的に示す平面図である。
【００３８】
仮に、図６に示された比較例のように、第１半導体レーザー２１が導光板ＬＧの左端面３５を延長した平面Ｘに交差していない場合、第１半導体レーザー２１から発せられたレーザー光は、左端面３５に反射される。反射されたレーザー光は、左端面３５を中心にして折り返した位置に仮想の半導体レーザー２４があるかのように導光板ＬＧ内に戻って来る。
【００３９】
仮想の半導体レーザー２４及び実際の半導体レーザー２１，２３において、赤色半導体レーザーＲ，ＶＲの間隔に対して、緑色半導体レーザーＧ１，ＶＧ１の間隔が広く、青色半導体レーザーＢ，ＶＢの間隔がさらに広い。そのため、左端面３５の近傍では、赤色レーザー光の割合が相対的に増して導光板ＬＧから出射した光が赤味を帯びてしまう。
【００４０】
また、レーザー光はコヒーレンスが大きい。例えば、赤色半導体レーザーＲから導光板ＬＧ内へ向かうレーザー光と、左端面３５に反射されて戻って来るレーザー光とが重なると、同一の第１半導体レーザー２１から発せられた同波長のレーザー光であるためスペックルが発生しやすい。光路差も短いため、位相のずれも発生しづらくなり、スペックルの低減も起きづらい。
【００４１】
これに対し、図３に示された本実施形態に係る照明装置ＢＬでは、第１半導体レーザー２１の中心が導光板ＬＧの左端面３５を延長した平面Ｘに交差している。第１半導体レーザー２１が赤色半導体レーザーＲ又は青色半導体レーザーＢであれば、仮想の半導体レーザー２４及び実際の半導体レーザー２１，２３において、緑色半導体レーザーＶＧ１、赤色半導体レーザーＲ、緑色半導体レーザーＧ１、青色半導体レーザーＢが互いに等間隔に並ぶ。
【００４２】
すなわち、第１半導体レーザー２１側においては、仮想の半導体レーザー２４内に、図６に示された仮想の赤色半導体レーザーＶＲが存在しない。よって、仮想の半導体レーザー２４及び実際の半導体レーザー２１，２３に亘ってＲＧＢＧの単位光源が連鎖した配列になっている。このような本実施形態によれば、左端面３５にレーザー光を反射されづらい位置に第１半導体レーザー２１が配置されているため、同一の第１半導体レーザー２１から発せられた同波長のレーザー光によるスペックルの発生を抑制することができる。
【００４３】
ところで、比較例に係る照明装置ＢＬであっても、導光板ＬＧの中央ではスペックルが視認されづらい。中央の半導体レーザー２３は、それらの個体差によって波長が例えば±５〜６ｎｍ程度ばらついていた。スペックルの発生をより確実に抑制するには、波長の帯域幅を±５〜６ｎｍ程度かそれ以上に広げることが好ましい。
【００４４】
本実施形態に半導体レーザー２０は、周波数５０〜５００ｋＨｚ以下の交流電源で駆動されている。半導体レーザーを駆動する電流が低い周波数で上下すると、連動してジャンクション温度が周期的に変動する。ジャンクション温度が変動すると、波長が周期的に変動する。直流で駆動した半導体レーザーの帯域幅の一例を中心波長から±１．５ｎｍとすると、低周波の交流で駆動した半導体レーザーの帯域幅の一例は中心波長から±２〜３ｎｍである。
【００４５】
さらに、最も外側に位置する第１及び第２半導体レーザー２１，２２が、それらの間に位置する他の半導体レーザー２３よりも発光効率が低い半導体レーザーにすれば、より確実にスペックルを抑制できる。図４は、低効率のレーザーダイオードの出力特性を模式的に示す図である。図４に示すように、低効率の半導体レーザーは、高効率の半導体レーザーと比べて、レーザー光が出射されるまでの閾値２が大きく、投入された電流に対するレーザー光の出力の傾き２が小さい。つまり、電流ロスが大きい。
【００４６】
ジャンクション温度の上昇は、電流ロス分に比例する。低効率のレーザーダイオードであれば、電流ロスが大きい分、大きく温度が上下に振れて、波長域が大きく振れる。高効率の半導体レーザーに替えて低効率の半導体レーザーにすると、帯域幅が中心波長から例えば±５〜６ｎｍに広がる。
【００４７】
図５は、本実施形態の変形例に係る照明装置ＢＬを模式的に示す平面図である。図５に示された変形例の特徴は、第１半導体レーザー２１の出射光の中心位置が左端面３５の延長線上からややずれた位置に配置されていることである。第１半導体レーザー２１の出射光の中心位置と左端面３５の延長線とのずれ量は、一例として、第１半導体レーザー２１の筐体それ自体は、左端面３５の延長線上に掛かる程度のずれである。この変形例であっても、仮想の赤色半導体レーザーＶＲは、実際の赤色半導体レーザーＲとほぼ同じ位置に重なる。
【００４８】
このとき、実際の赤色半導体レーザーＲ及び仮想の赤色半導体レーザーＶＲが、二灯合わせて一灯の明るさであれば、赤色レーザー光の割合が増すことがない。第１半導体レーザー２１が他の半導体レーザー２３よりも低効率の半導体レーザーであれば、コヒーレンスを小さくできるだけでなく、出力を他の半分にして色合いを調整しやすくなる。
【００４９】
以上のように構成された本実施形態及びその変形例の液晶表示装置ＤＳＰによれば、実際の第１半導体レーザー２１とその仮想光源とがほぼ重なるように配置される。とりわけ、左端面３５を延長した平面Ｘが第１半導体レーザー２１の中心に交差するときは、実際の第１半導体レーザー２１とその仮想光源とがぴたり重なるように配置されるため、背面照明にレーザー光を用いてもスペックルが発生しづらい。さらに、特定の色のレーザー光の割合が相対的に増して色合いが不均一になることを防止できる。
【００５０】
第１半導体レーザー２１の出射光の中心位置が、左端面３５を延長した平面Ｘからずれて配置されても、第１半導体レーザー２１の出力を半分にすれば、特定の色のレーザー光の割合が相対的に増して色合いが不均一になることを防止できる。例えば、第１半導体レーザー２１を他の半導体レーザー２３よりも低効率の半導体レーザーにすれば、出力を他の半分に調整できる。しかも、波長域が広がるため、スペックルが発生しづらくなる。
【００５１】
すべて低効率の半導体レーザーにすると、スペックルは発生しづらくなるが、消費電力が増えてしまう。本実施形態及びその変形例では、両端の第１及び第２半導体レーザー２１，２２のみ他の半導体レーザー２３よりも低効率の半導体レーザーを使用するため、消費電力を過度に増加させることなくスペックルの発生を抑制できる。  
【００５２】
その他、本実施形態及びその変形例からは、種々の好適な効果を得ることができる。
【００５３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形例は、発明の範囲や要旨に含まれるとともに、特許請求の範囲に記載された発明とその均等の範囲に含まれる。各実施形態にて開示した構成は、適宜に組み合わせることができる。
【符号の説明】
【００５４】
２０…半導体レーザー（光源の一例）、２１…第１半導体レーザー（第１の光源の一例）、２２…第２半導体レーザー（第２の光源の一例）、２３…他の半導体レーザー（他の光源の一例）、３１…第１主面（出射面の一例）、３２…第２主面（反射面の一例）、３３…後端面（第１の入射面の一例）、３４…前端面（第２の入射面の一例）、３５…左端面（第１端面の一例）、３６…右端面（第２端面の一例）、Ｂ…青色半導体レーザー（第３色光源の一例）、ＢＬ…照明装置、ＤＳＰ…液晶表示装置（表示装置の一例）、Ｇ１…第１緑色半導体レーザー（一方の第１色光源の一例）、Ｇ２…第２緑色半導体レーザー（他方の第１色光源の一例）、ＬＧ…導光板、ＰＮＬ…表示パネル、Ｒ…赤色半導体レーザー（第２色光源の一例）。
【図１】
2019124834.tif 000003
【図２】
2019124834.tif 000004
【図３】
2019124834.tif 000005
【図４】
2019124834.tif 000006
【図５】
2019124834.tif 000007
【図６】
2019124834.tif 000008